(57)【要約】      （修正有）【課題】電子ペンから外部機器に対し送信される軌跡データに著作権情報を付加させる。【解決手段】電子ペンを動かした軌跡を検出する軌跡検出手段と、前記軌跡検出手段を用いて検出した詰責データを外部機器へ送信する軌跡データ送信手段えお具備する電子ペンにおいて、電子ペン１００に人体通信を行う人体通信装置と、人体通信装置から受信したユーザを識別するための識別ＩＤを保持し、保持している識別ＩＤを付加した軌跡データを外部機器に送信する軌跡データ送信手段とを具備させている。【選択図】  図１
2005190253.tif 000002
【特許請求の範囲】
【請求項１】
電子ペンを動かした軌跡を検出する軌跡検出手段と、前記軌跡検出手段を用いて検出した軌跡データを外部機器へ送信する軌跡データ送信手段を具備する電子ペンにおいて、
電子ペンを利用しているユーザの人体を通して、ユーザが身につけている機器同士で通信可能とする人体通信手段と、前記人体通信手段より入手したユーザを識別するための識別ＩＤを保持し、保持している識別ＩＤ付加した軌跡データを外部機器へ送信する軌跡データ送信手段を具備することを特徴とする電子ペン。
【請求項２】
ユーザが身につけている機器同士で通信可能とする人体通信手段と、ユーザを識別する識別ＩＤを保持する識別ＩＤ保持手段と、前記人体通信手段を用いて、定期的に前記識別ＩＤを送信する識別ＩＤ送信手段を具備することを特徴とする携帯機器。
【請求項３】
請求項１記載の電子ペンであって、
ユーザによって握られていることを検出するユーザ使用検出手段と、ユーザによって握られているときのみ、ユーザを識別するための識別ＩＤの取得要求を前記人体通信手段に対して送信する識別ＩＤ取得要求送信手段を具備することを特徴とする電子ペン。
【請求項４】
請求項２記載の携帯機器であって、
請求項３記載の電子ペンからの識別ＩＤ取得要求手段による識別ＩＤ取得要求を受けたときにのみ、ユーザを識別する識別ＩＤを、人体通信手段を用いて定期的に送信する識別ＩＤ送信手段を具備することを特徴とする携帯機器。
【請求項５】
電子ペンの軌跡を外部機器に対して送信する電子ペン入力システムであって、
請求項１記載の電子ペンと、請求項２記載の携帯機器から構成されることを特徴とする電子ペン入力システム。
【請求項６】
電子ペンの軌跡を外部機器に対して送信する電子ペン入力システムであって、
請求項３記載の電子ペンと、請求項４記載の携帯機器から構成されることを特徴とする電子ペン入力システム。
【発明の詳細な説明】
【技術分野】
【０００１】
本発明は，電子ペンによる入力システムに関する。
【背景技術】
【０００２】
現在の入力デバイスとしての電子ペンは，特殊なビットパターン印刷が施された専用紙の上に、実際に字や絵を描き込むことで、専用紙に印刷されているビットパターンから電子ペンの現在位置を検出し、電子ペンの軌跡を入力するという電子ペンが既に開発されている。（例えば、非特許文献１）
また、個人認証デバイスとして、電子ペンの内部にセンサーを設け、センサーよってユーザの筆圧を測定し、筆圧の特徴からユーザ本人かどうかを判定する電子ペンも既に開発されている。（例えば、非特許文献２）
【０００３】
【非特許文献１】西坂真人、“アノト・ペン”で郵便ポストがなくなる？、[online]、平成１４年３月４日、ＺＤＮｅｔ、[平成１５年９月２９日検索]、インターネット<http://www.zdnet.co.jp/news/0203/04/anoto_iv.html>
【非特許文献２】What is 電子ペン、[online]、日本システム開発株式会社、[平成１５年９月２９日検索]、インターネット<http://www.jsdnet.co.jp/densi/den_pen1.html>
【発明の開示】
【発明が解決しようとする課題】
【０００４】
しかし、現状の認証機能をもつ電子ペンでは、実際に本人のサインを書いてもらい、本人のサインの筆圧がどのような値かを調査・登録が必要であるという問題や、実際に字を書かなければ本人かどうか判定することができないため、字以外の絵や図を描き始めた場合、正しく本人と認識されない可能性があるという問題がある。また、認証が完了するまでに入力したデータについては、誰が入力したものか判断がつかないという問題がある。そのため、リアルタイムに入力したデータについて誰が書いたのかという情報（著作権）を付加することが難しかった。
【０００５】
この発明は上記の問題を考慮したもので，その目的は，ユーザに特別な操作なしに、電子ペンから入力したデータは、誰が書いたのかという情報（著作権）を付加することで、入力されたデータの信頼性をあげたり、著作権情報による図形データ検索を可能にし、ユーザの利便性を向上させることにある。
【課題を解決するための手段】
【０００６】
前記目的を達成するために，本発明は，電子ペンを動かした軌跡を検出する軌跡検出手段と、前記軌跡検出手段を用いて検出した軌跡データを外部機器へ送信する軌跡データ送信手段を具備する電子ペンに以下の手段を具備させる。
（１）ユーザの人体を通して、ユーザが身につけている機器同士で通信可能とする人体通信手段，
（２）前記人体通信手段より入手したユーザを識別するための識別ＩＤを保持し、保持している識別ＩＤ付加した軌跡データを外部機器へ送信する軌跡データ送信手段。
【０００７】
また、本発明は、識別ＩＤを電子ペンへ送信する携帯機器に以下の手段を具備させる。
（１）ユーザが身につけている機器同士で通信可能とする人体通信手段、
（２）ユーザを識別する識別ＩＤを保持する識別ＩＤ保持手段、
（３）前記人体通信手段を用いて、定期的に前記識別ＩＤを送信する識別ＩＤ送信手段。
【０００８】
本発明において、前記携帯機器を身につけているユーザが前記電子ペンを手に持つと、前記携帯機器および前記電子ペンの具備する人体通信手段により、前記携帯機器の保持するユーザを識別する識別ＩＤが前記電子ペンへ送信され、ユーザが前記電子ペンで入力した際に、電子ペンでの軌跡データに、識別ＩＤを付加したデータを外部機器へ送信することができるのである。
【０００９】
電子ペンから入力されたデータにユーザを識別するための識別ＩＤが付加されるため、どのユーザが入力した図形データなのかが分かるようになり、図形データの信頼性が向上する。また、図形データの検索処理においても、どのユーザが入力したデータなのかという検索条件が設定することが可能となり、ユーザの利便性が向上する。
【発明の効果】
【００１０】
本発明によれば、ユーザの利便性が向上する。
【発明を実施するための最良の形態】
【００１１】
まず，本発明における，電子ペン入力システムの実施例の概要を，図１、図２、図３、図４、図５、図６、図７、図８、図９を用いて説明する。
【００１２】
図１中１００は電子ペンである。電子ペン１００は，普通のボールペンのようにユーザが手に持ち、紙に実際に字や絵を描くことによって、ユーザの書いた場所をデジタルデータとしてＰＣ等に送る入力デバイスである。
【００１３】
図１中２００は、識別デバイスである。識別デバイス２００は、ユーザ本人を識別するための識別ＩＤを保持しており、人の皮膚に対して微量の電流、静電気、電磁波を発生させることにより、人の皮膚に触れている機器に対して、識別ＩＤを送信することができる機器である。なお、人体通信でやりとりされる通信メッセージ３００は、図２のように、通信メッセージの種別を表すメッセージ種別３０１と、受け渡すデータの中身を表すデータ部３０２と、データ部３０２のデータサイズを表すデータサイズ３０３の３つから構成されている。
【００１４】
まず、電子ペン１００は、ユーザが電子ペン１００を手に取ると、識別ＩＤ取得要求処理６００により識別ＩＤ取得要求メッセージ４００を送信する。識別ＩＤ取得要求メッセージ４００を受信した識別デバイス２００は、ユーザの皮膚を通してユーザが手に持っている電子ペン１００に対し、ユーザ本人を識別するための識別ＩＤを含む識別ＩＤデータ５００を定期的に送信する。そして、電子ペン１００は、軌跡データ送信処理７００により、識別デバイス２００から受信した識別ＩＤメッセージ５００から取得できる識別ＩＤを、ユーザが動かした電子ペン１００の軌跡データと共にＰＣ等の処理装置に送信する。以上により、ＰＣ等の外部機器には、識別ＩＤが付加された軌跡データが取得できるため、識別ＩＤから誰が入力したデータかを判別することができるのである。
【００１５】
次に、電子ペン１００のハードウェア構成について、図３を用いて説明する。
図３中の１０１はＣＰＵ（Central Processing Unit）である。周辺部の制御処理やユーザが手に触れているかいなかを判定する接触検出処理、人体通信や外部との無線通信等の通信制御処理といった各種プログラムの実行を行う。１０２はＲＯＭ（Read Only Memory）であり、周辺部の制御やユーザが手に触れているかいなかを判定する接触検出処理、人体通信や外部との無線通信等の通信制御処理に関する各種プログラムやデータ、及びあらかじめ格納されている識別ＩＤデータを記憶する。１０３はＲＡＭ（Random Access Memory）であり、周辺部の制御処理やユーザが手に触れているかいなかを判定する接触検出処理、人体通信や外部との無線通信等の通信制御処理といった各種プログラムをＲＯＭからロードして実行したり、データを記憶したりするのに使用する。１０４は人体通信装置であり、人の皮膚に接している機器と通信を行うための装置で、電子ペン１００を使用しているユーザを識別するための識別ＩＤを取得するのに使用する。１０５は軌跡検出装置であり、ユーザが電子ペン１００を操作し、紙などのものをなぞった電子ペンの軌跡を検出するのに必要となるデータを取得するのに使用する。例えば、小型カメラである。１０６は外部通信装置であり、入力検出装置１０５によって検出した電子ペン１００の軌跡データおよび識別ＩＤを外部の機器、例えばＰＣへ送出するのに使用する。例えばBluetoothや赤外線である。
【００１６】
次に、識別デバイス２００のハードウェア構成について、図４を用いて説明する。図４中の２０１はＣＰＵ（Central Processing Unit）である。周辺部の制御処理や人体通信の通信制御処理といった各種プログラムの実行を行う。２０２はＲＯＭ（Read Only Memory）であり、周辺部の制御や人体通信の通信制御処理に関する各種プログラムやデータ、及びあらかじめ格納されている識別ＩＤデータを記憶する。１０３はＲＡＭ（Random Access Memory）であり、周辺部の制御処理や人体通信の通信制御処理といった各種プログラムをＲＯＭからロードして実行したり、データを記憶したりするのに使用する。１０４は人体通信装置であり、人の皮膚に接している機器と通信を行うための装置で、電子ペン１００を使用しているユーザを識別するための識別ＩＤを取得するのに使用する。なお、本実施例では、図１に示すように識別デバイス２００として腕時計を用いている。このように日常生活で身に付けるデバイスを識別デバイスとして用いた方が便利です。また、識別デバイス２００として、腕時計以外のネックレス、指輪など身に付けるデバイスであれば本実施例を適用できることは言うまでもない。
【００１７】
次に、ユーザが電子ペン１００を手に取っている場合にのみ、電子ペン１００が識別ＩＤ取得要求を送出する識別ＩＤ取得要求処理６００について、図５を用いて説明する。識別ＩＤ取得要求処理６００は、電子ペン１００の電源が入ると起動され、まず、電子ペン１００の圧力検出部から電子ペン１００に圧力がかかっている場合のみ発生する信号が発生したかどうかを判定する。（ステップＳ６０１）次に、圧力がかかっている場合のみ発生する信号が発生した場合、図６のような、メッセージ種別が「識別ＩＤ取得」に設定されている識別ＩＤ取得要求メッセージ４００を、人体通信装置１０４を用いて、人の皮膚に接している機器に対して送信する。（ステップＳ６０２）、そして、送信後、一定時間の待ち処理を行い、再びＳ６０１へ戻る。（ステップＳ６０３）以上のような処理で、ユーザが電子ペン１００を手に握ったときに識別ＩＤ取得要求を定期的に出すのである。
【００１８】
次に、電子ペン１００からの識別ＩＤ取得要求を受信したときにのみ、識別デバイス２００が識別ＩＤを送信する識別ＩＤ送信処理７００について、図７を用いて説明する。
【００１９】
識別ＩＤ送信処理７００は、識別デバイス２００の電源が入ると起動され、まず、人体通信装置２０４に他の機器からの通信メッセージがあったかどうかを判定する。（ステップＳ７０１）通信メッセージがあった場合、まずメッセージ種別３０１が「識別ＩＤ取得」であるかどうかを判定する。（ステップＳ７０２）そして、メッセージ種別が「識別ＩＤ取得」であった場合のみ、図８のような、メッセージ種別に「識別ＩＤ」を、送信データに識別デバイス２００の識別ＩＤを、データ長に識別ＩＤのデータの長さを格納した識別ＩＤメッセージ３００を、人体通信装置２０４を用いて送信する。（ステップ７０３）そして、送信後、一定時間の待ち処理を行い、再びＳ７０１へ戻る。（ステップＳ７０４）以上のような処理で、電子ペン１００からの識別ＩＤ取得要求を受信したときのみ識別デバイス２００の識別ＩＤを送信するのである。
【００２０】
次に、電子ペン１００がＰＣ等の外部機器に対して軌跡データを送信する軌跡データ送信処理８００について、図９を用いて説明する。軌跡データ送信処理８００は、電子ペン１００の電源が入ると起動され、まず、人体通信装置１０４に通信メッセージがあったかどうかを判定する。（ステップＳ８０１）通信メッセージがあった場合、はメッセージ種別が「識別ＩＤ」であったかどうかを判定する。（ステップＳ８０２）メッセージ種別が「識別ＩＤ」であった場合、通信メッセージから識別ＩＤを取得し、電子ペン１００のＲＡＭ１０３に格納する。（ステップＳ８０３）次に、入力検出装置１０５より軌跡データが取得できたかを判定する。（ステップＳ８０４）軌跡データが取得できた場合は、ＲＡＭ１０３に格納してある識別ＩＤと共に、図１０のような軌跡データを、外部通信装置１０６を用いて、ＰＣ等の外部機器へ送信する。（ステップＳ８０５）以上の手続きにより、軌跡データをＰＣへ送信するのである。
【００２１】
このように、この実施の形態による電子ペン、識別デバイスからなる電子ペン入力システムによれば、ユーザは識別デバイスを身につけている状態で電子ペンを握れば、特別な操作なしに電子ペンから入力された文字データやイメージデータに誰が入力したかを表す識別ＩＤが自動的に付加させることができる。これにより、
ユーザに意識させることなく、電子ペンから入力されたデータの信頼性を向上させ、また、ユーザの識別ＩＤより電子ペンからの入力したデータの検索を可能になり、検索手段が増えることでユーザの利便性が向上させることができるのである。
【図面の簡単な説明】
【００２２】
【図１】本発明の実施例の概要を示す説明図である。
【図２】本発明の実施例における人体通信で通信されるデータフォーマットを示した説明図である。
【図３】本発明の実施例における電子ペンのハードウェア構成を説明した説明図である。
【図４】本発明の実施例における識別デバイスのハードウェア構成を説明した説明図である。
【図５】本発明の実施例で使用される識別ＩＤ取得要求処理を説明したフローチャートである。
【図６】本発明の実施例の識別ＩＤ取得要求処理で使用される識別ＩＤ取得要求メッセージのデータ構成を示した説明図である。
【図７】本発明の実施例で使用される識別ＩＤ送信処理を説明したフローチャートである。
【図８】本発明の実施例の識別ＩＤ送信処理で使用される識別ＩＤメッセージのデータ構成を示した説明図である。
【図９】本発明の実施例で使用される軌跡データ送信処理を説明したフローチャートである。
【図１０】本発明の実施例の軌跡データ送信処理で使用される軌跡データのデータ構成を示した説明図である。
【符号の説明】
【００２３】
１００…電子ペン、１０１…ＣＰＵ、１０２…ＲＯＭ、１０３…ＲＡＭ、１０４…人体通信装置、１０５…軌跡検出装置、１０６…外部通信装置、２００…識別デバイス、２０１…ＣＰＵ、２０２…ＲＯＭ、２０３…ＲＡＭ、２０４…人体通信装置、４００…識別ＩＤ取得要求メッセージ、４０１…データ種別、４０３…データ長，５００…識別ＩＤメッセージ、５０１…データ種別、５０３…データ長、５０２…データ部、６００…識別ＩＤ取得要求処理、７００…識別ＩＤ送信処理、８００…軌跡データ送信処理
【図１】
2005190253.tif 000003
【図２】
2005190253.tif 000004
【図３】
2005190253.tif 000005
【図４】
2005190253.tif 000006
【図５】
2005190253.tif 000007
【図６】
2005190253.tif 000008
【図７】
2005190253.tif 000009
【図８】
2005190253.tif 000010
【図９】
2005190253.tif 000011
【図１０】
2005190253.tif 000012